(57)【要約】      （修正有）【課題】緩みや脱落がなく、電気信号を堅固に伝送できるフレキシブル基板コネクタを提供する。【解決手段】フレキシブル基板コネクタは、対応接続端２１とはんだ付け端２２を備える絶縁ケース２０、収容設置槽２１１に組み立てる複数の端子１、絶縁ケース２０上に組み立て、端子１の第一、二接触アーム１０、１１に対して挟持制御を行う圧接部品２０１を備える。さらに、各端子１は第一、二接触アーム１０、１１、連動アーム１３とはんだ付けアーム１２、サポートアーム１４を備え、絶縁ケース２０の収容設置槽２１１内には係合制御壁２１２を設置し、端子１はサポートアーム１４の中心より、Ｙ軸方向に沿って延伸し、対応する第一接触アーム１０と連動アーム１３、或いは第二接触アーム１１とはんだ付けアーム１２の片側の付近には、第一ストッパー３０を設置する。【選択図】図３
0003179769.tif 000002
【実用新案登録請求の範囲】
【請求項１】
絶縁ケース、複数の端子、圧接部品を備え、前記絶縁ケースは、対応接続端とはんだ付け端を備え、前記対応接続端と前記はんだ付け端との間には複数の収容設置槽を設置し、
前記複数の端子は前記はんだ付け端により前記収容設置槽に組み立て、各端子は第一接触アームと第二接触アーム、連動アームとはんだ付けアーム、サポートアームを備え、
前記第一接触アームと前記第二接触アームは、上下に対応状に設置し、その上に接触部をそれぞれ設置し、前記連動アームと前記はんだ付けアームは、前記第一、二接触アームと相対した一体設置を呈し、
前記はんだ付けアームには係合脚及び回転槽を設置し、前記サポートアームは前記第一、二接触アームと前記はんだ付けアーム、前記連動アームとの間に設置し、
前記圧接部品は前記絶縁ケース上に組み立て、前記連動アームと前記はんだ付けアームを回転の支点として前記第一、二接触アームに対して挟持の制御を行い、
前記絶縁ケースの収容設置槽内には、前記収容設置槽内壁にやや突出する係合制御壁を設置し、前記端子は前記サポートアームの中心よりＹ軸方向に沿って延伸し、
対応する第一接触アームと前記連動アーム、或いは前記第二接触アームと前記はんだ付けアームの片側の付近には第一ストッパーを設置し、上記した構造により端子を組み立てる時には、前記第一ストッパーは前記係合制御壁に向って進み、
これにより端子を組み立て後は前記係合制御壁側に定位され、反対向きに端子の組み立て方向へと緩み脱落することがないことを特徴とするフレキシブル基板コネクタ。
【請求項２】
前記第一ストッパーは、前記第一接触アームと前記連動アームとの片側に設置し、一体に前記第一接触アームより突起を形成することを特徴とする請求項１に記載のフレキシブル基板コネクタ。
【請求項３】
前記端子は、前記第一ストッパーの第二接触アームとはんだ付けアームとの片側に相対し第二ストッパーを設置し、これにより端子にさらに堅固な組み立て効果を提供することを特徴とする請求項２に記載のフレキシブル基板コネクタ。
【請求項４】
前記第二ストッパーは、前記第二接触アームにより逆フックを一体に形成し、これにより端子を前記収容設置槽に組み立て後は、反対向きに端子の組み立て方向へと緩み脱落することがないことを特徴とする請求項３に記載のフレキシブル基板コネクタ。
【請求項５】
絶縁ケース、複数の端子、圧接部品を備え、前記絶縁ケースは対応接続端とはんだ付け端を備え、前記対応接続端と前記はんだ付け端との間には複数の収容設置槽を設置し、
前記複数の端子は前記はんだ付け端により前記収容設置槽に組み立て、各端子は第一接触アームと第二接触アーム、連動アームとはんだ付けアーム、サポートアームを備え、
前記第一接触アームと前記第二接触アームは上下に対応状に設置し、その上に接触部をそれぞれ設置し前記連動アームと前記はんだ付けアームは、前記第一、二接触アームと相対した一体設置を呈し、
前記はんだ付けアームには係合脚を設置し、前記サポートアームは前記第一、二接触アームと前記はんだ付けアーム、前記連動アームとの間に設置し、
前記圧接部品は、前記絶縁ケース上に組み立て、前記連動アームと前記はんだ付けアームを回転の支点として、前記第一、二接触アームに対して挟持の制御を行い、
前記端子は前記サポートアームの中心よりＹ軸方向に沿って延伸し、対応する第一接触アームと前記連動アーム、或いは前記第二接触アームと前記はんだ付けアームの片側の付近には第一ストッパーを設置し、
上記した構造により端子を組み立てる時には、前記第一ストッパーは押す力を提供し、これにより端子を組み立て後は前記収容設置槽内に定位され、反対向きに端子の組み立て方向へと緩み脱落することがないことを特徴とするフレキシブル基板コネクタ。
【請求項６】
前記第一ストッパーは、前記第一接触アームと前記連動アームとの片側に設置し、一体に前記第一接触アームより突起を形成することを特徴とする請求項５に記載のフレキシブル基板コネクタ。
【請求項７】
前記端子は、前記第一ストッパーの第二接触アームとはんだ付けアームとの片側に相対し第二ストッパーを設置し、これにより端子にさらに堅固な組み立て効果を提供することを特徴とする請求項６に記載のフレキシブル基板コネクタ。
【請求項８】
前記第二ストッパーは、前記第二接触アームにより逆フックを一体に形成し、これにより端子を前記収容設置槽に組み立て後は、前記収容設置槽の内壁と干渉対応を形成することを特徴とする請求項７に記載のフレキシブル基板コネクタ。
【考案の詳細な説明】
【技術分野】
【０００１】
本考案はフレキシブル基板コネクタに関し、特にコネクタの薄型化組み立てに適し緩み脱落を防止でき、これにより組み立ての安定性を確保することができるフレキシブル基板コネクタに係わる。
【背景技術】
【０００２】
本考案と関連する従来のフレキシブル基板コネクタにおいて組み立てる端子構造は、フレキシブル基板を挟持する第一接触アームと第二接触アーム、及び第一、二接触アームにそれぞれ相対して設置する連動アームとはんだ付けアーム、及び第一、二接触アームとはんだ付けアーム、連動アームとの間に設置するサポートアームを備える。
【０００３】
連動アームをコネクタに組み立てた後、その一端はコネクタ上の圧接部品の駆動を受け、シーソー方式で第一接触アームを連動し第二接触アームへと移動させる。これにより、第一接触アームと第二接触アームとの隙間は縮小しフレキシブル基板は挟持される。
【０００４】
従来のコネクタの絶縁ケースと端子との組み立ては、第一接触アームと第二接触アームとの隙間内に干渉体を設置することで、絶縁ケースと干渉を生じて対応し一体に結合し緩み脱落防止の目的を達成している。
しかし、設計要求が薄型化するに従い従来のコネクタの絶縁ケースと端子との組み立て方式は、薄型化の組み立て要求に応じることができなくなって来ている。  
上記した従来の隙間内に設置する干渉体は、干渉体及び挟持されるフレキシブル基板の全体的な厚みを考慮する必要があるためである。
【０００５】
薄型化コネクタの組み立てにおいて一体式(Insert Molding)を採用し、組み立てようとする端子を絶縁ケース成型時に一緒に固定することもできる。
しかし、この方式はコストが高くしかも製造工程に限界がある。
フレキシブル基板コネクタに用いる端子の構造を改善し、薄型化の組み立て要求を満たせるようにすることは業界が解決、克服に注力している課題である。
本考案は、従来のフレキシブル基板コネクタの上記した欠点に鑑みてなされたものである。
【考案の概要】
【考案が解決しようとする課題】
【０００６】
本考案が解決しようとする課題は、端子のはんだ付けアームによりコネクタを回路基板に固定する他に、定位補助を設置するため端子を薄型化された絶縁ケース内に安定的に組み立てることができ緩み脱落の恐れがなく、電気信号の堅固な伝送を実現することができるフレキシブル基板コネクタを提供することである。
【課題を解決するための手段】
【０００７】
上記課題を解決するため、本考案は下記のフレキシブル基板コネクタを提供する。
フレキシブル基板コネクタは、絶縁ケース、複数の端子、圧接部品を備え、該絶縁ケースは、対応接続端とはんだ付け端を備え、該対応接続端と該はんだ付け端との間には、複数の収容設置槽を設置し、該複数の端子は該はんだ付け端により該収容設置槽に組み立て、各端子は第一接触アームと第二接触アーム、該第一、二接触アームにそれぞれ相対して一体に設置する連動アームとはんだ付けアーム、該第一、二接触アームと該はんだ付けアーム、該連動アームとの間に設置するサポートアームを備え、該圧接部品は該絶縁ケース上に組み立て、該はんだ付けアームを回転の支点として、該第一、二接触アームに対して挟持の制御を行い、該絶縁ケースの収容設置槽内には係合制御壁を設置し、該端子は該サポートアームの中心よりＹ軸方向に沿って延伸し、対応する第一接触アームと該連動アーム、或いは該第二接触アームと該はんだ付けアームの片側の付近には第一ストッパーを設置し、上記した構造により端子を組み立てる時には、該第一ストッパーは該係合制御壁に向って進み、これにより端子を組み立て後は該係合制御壁側に定位され、反対向きに端子の組み立て方向へと緩み脱落することがなく、該第一ストッパーは該第一接触アームと該連動アームとの片側に設置し、一体に該第一接触アームより突起を形成し、該端子は該第一ストッパーに相対し第二ストッパーを設置し端子にさらに堅固な組み立て効果を提供し、該第二ストッパーは該第二接触アームにより逆フックを一体に形成し、これにより端子を該収容設置槽に組み立て後は、反対向きに端子の組み立て方向へと緩み脱落することがない。
【考案の効果】
【０００８】
本考案のフレキシブル基板コネクタは端子組み立て後は、係合制御壁側に定位され反対向きに端子の組み立て方向へと緩み脱落することがなく、電気信号を堅固に伝送する効果を提供することができる。
【図面の簡単な説明】
【０００９】
【図１】本考案フレキシブル基板コネクタの端子平面図である。
【図２】本考案フレキシブル基板コネクタの端子を絶縁ケースに組み合わせる様子(完全に組み合わせて定位する前)の断面図である。
【図３】本考案フレキシブル基板コネクタの組合せ断面図である。
【図４】本考案端子が圧接部品に駆動され、第一、二接触アームを挟持する様子、及び未挟持時の様子を示す状態図である。
【図５】本考案端子が圧接部品に駆動され、第一、二接触アームを挟持する様子、及び未挟持時の様子を示す状態図である。
【考案を実施するための形態】
【００１０】
以下に図面を参照しながら本考案を実施するための最良の形態について詳細に説明する。
【００１１】
図１、２に示すように本考案フレキシブル基板コネクタ２は、絶縁ケース２０、複数の端子１を備える。
【００１２】
絶縁ケース２０は、対応接続端２１とはんだ付け端２２を備える。
対応接続端２１とはんだ付け端２２との間には、複数の収容設置槽２１１を設置する。複数の収容設置槽２１１内には、係合制御壁２１２を設置し収容設置槽２１１の内壁にやや突出する。はんだ付け端２２片側には、圧接部品２０１を設置(図３参照)し端子１に対する挟持、制御 (後述)に用い、その上にはカム２０２を設置する。
【００１３】
端子１は第一接触アーム１０、第二接触アーム１１、はんだ付けアーム１２、連動アーム１３、サポートアーム１４を備える。第一接触アーム１０と第二接触アーム１１とは上下対応に設置し、その上には接触部１０１、１１１をそれぞれ設置し、フレキシブル基板(図示なし)と電気信号接触する。
【００１４】
はんだ付けアーム１２、連動アーム１３は第一、二接触アーム１０、１１と左右が相対した一体設置を呈する。はんだ付けアーム１２は、回路基板(図示なし)にはんだ付けして固定するために用い、その上には回転槽１２１を設置し、圧接部品２０１のカム２０２を収容しその上にて回転させる。はんだ付けアーム１２には係合脚１２２を設置し、コネクタ２の絶縁ケース２０の端縁上に固定する。
【００１５】
連動アーム１３は第一接触アーム１０と一体に連なり、その末端はカム２０２上に接触し圧接部品２０１の回転を受けてカム２０２は上方へ或いは下方へと移動する(図３、４参照)。これにより、サポートアーム１４を支点として、第一接触アーム１０は下方へ或いは上方へのシーソー運動を行う。
【００１６】
サポートアーム１４は第一、二接触アーム１０、１１とはんだ付けアーム１２、連動アーム１３との間に設置する。
上記したように連動アーム１３が圧接部品２０１に駆動されると第一接触アーム１０は、サポートアーム１４を支点として第二接触アーム１１の接触部１１１に向かい移動し、第一接触アーム１０と第二接触アーム１１の相互間に挟持機能を備えさせる。
【００１７】
本考案サポートアーム１４は、中心よりＹ軸方向にそって延伸し対応する第一接触アーム１０上に、第一ストッパー３０を一体に設置し、対応する第二接触アーム１１上に第二ストッパー３１を一体に設置する。第一ストッパー３０は突起を形成し係合制御壁２１２と対応設置を呈し、第二ストッパー３１は逆フックを形成する。端子１を組み立てる時には第一ストッパー３０は、係合制御壁２１２に向って進み(図２参照)、これにより第二ストッパー３１は係合制御壁２１２に緊密に接触する。
【００１８】
端子１を組み立てて定位した後は、第一ストッパー３０は常に係合制御壁２１２に向かい押し、第二ストッパー３１は係合制御壁２１２を超える。第一ストッパー３０と第二ストッパー３１により、端子１を絶縁ケース２０の収容設置槽２１１に堅固に組み立て、端子１は係合制御壁２１２片側における定位を保持することができる。これにより、反対方向に端子１の組み立て方向へ向かい緩み脱落することがなく(図３参照)、端子１を堅固に組み立てて定位することができ連動アーム１３作動の影響を受け緩むことはない。
【００１９】
図３、４、５に示すように連動アーム１３が圧接部品２０１により、回転の方式で上方へ或いは下方へと駆動される時、フレキシブル基板(図示なし)に対して挟持或いは開放の制御を行う。連動アーム１３の作動過程では、第一ストッパー３０、第二ストッパー３１、係合制御壁２１２により圧接部品２０１の回転力を克服することができる。第一、二接触アーム１０、１１は、力を受けて挟持の作動制御を行い、反対方向に端子１の組み立て方向へと緩み脱落することがなく組み立ての堅固性を確保し、電気信号の堅固な伝送効果を提供することができる。
【００２０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２１】
１      端子
１０    第一接触アーム
１０１  接触部
１１    第二接触アーム
１１１  接触部
１２    はんだ付けアーム
１２１  回転槽
１２２  係合脚
１３    連動アーム
１４    サポートアーム
２      コネクタ
２０    絶縁ケース
２１    対応接続端
２２    はんだ付け端
２０１  圧接部品
２１１  収容設置槽
２１２  係合制御壁
３０    第一ストッパー
３１    第二ストッパー
【図１】
0003179769.tif 000003
【図２】
0003179769.tif 000004
【図３】
0003179769.tif 000005
【図４】
0003179769.tif 000006
【図５】
0003179769.tif 000007